(57)【特許請求の範囲】
【請求項１】
ホストコンピュ−タと、該ホストコンピュ−タからスイッチを設けた通信線によって接続される第１の光通信アダプタと、該第１の光通信アダプタよりＲＳ−４８５ケ−ブルにより接続される第２、第３の光通信アダプタからなり、前記第１、第２、第３の光通信アダプタに載置する携帯情報端末に蓄積されたデ−タ又は前記ホストコンピュ−タからの指令を送受信する光通信部分を有し、前記ホストコンピュ−タと第１の光通信アダプタ間を接続している通信線のスイッチを操作することにより、前記ホストコンピュ−タと第１の光通信アダプタが接続されている場合にはホストモ−ドの光通信アダプタとして機能し、ホストコンピュ−タと接続されていない第２、第３の光通信アダプタはスレ−ブモ−ドの光通信アダプタとして機能し、前記第２、第３の光通信アダプタに載置された携帯情報端末から前記ホストコンピュ−タへ携帯情報端末に蓄積したデ−タを送信する場合又は、ホストコンピュ−タからスレ−ブモ−ドで作動している第２、第３の光通信アダプタへ各種指令を送信する時には、前記ホストモ−ドで作動している第１の光通信アダプタに載置されている携帯情報端末に内蔵されているＣＰＵによって各種デ−タの変換やデ−タの送信制御を行うことを特徴とする携帯情報端末。
【発明の詳細な説明】
【０００１】
【発明の属する技術分野】
本発明は携帯端末装置に関し、携帯端末装置に蓄積されたデ−タを別に設けたホストコンピュ−タとの間で送受信する為のものである。
【０００２】
【従来技術】
従来、携帯端末装置に蓄積されたデ−タを別に設けたホストコンピュ−タとの間で、蓄積されたデ−タを送受信する際に光通信手段を用いて通信するものがある。この光通信手段を用いるものではデ−タをホストコンピュ−タに送信又はホストコンピュ−タから受信する際に、一旦デ−タを蓄積する光アダプタを使用してデ−タの送受信が行われる。この光通信アダプタはＣＰＵ、光通信アダプタ本体を起動させる為に必要なプログラムを格納する為のＲＯＭ、携帯端末装置に蓄積されたデ−タをホストコンピュ−タに送信する為に一時的にデ−タを格納する為のＲＡＭを内蔵している。また光アダプタ本体に設けられているＣＰＵには、別に設けたホストコンピュ−タと通信する為のＲＳ−２３２Ｃケ−ブル、携帯情報端末に蓄積したデ−タの送受信を行う為に、光通信を行う時に使用する光通信部、他の光通信アダプタと通信を行う為のＲＳ−４８５の３つのシリアル通信手段が設けられている。
【０００３】
上記した光通信アダプタにＲＳ−２３２Ｃケ−ブルを介してホストコンピュ−タに接続されると、その光通信アダプタに設けられているＣＰＵはホストモ−ドとして作動する。上記した他に複数用意されている光通信アダプタがホストコンピュ−タと通信（蓄積したデ−タの送受信）を行う際には、ＲＳ−２３２Ｃケ−ブルでホストコンピュ−タと接続された光通信アダプタが中継器の役目を果たしていた。また、上記した複数用意された他の光通信アダプタ（ＲＳ−２３２Ｃケ−ブルでホストコンピュ−タに接続されていないもの）はＲＳ−４８５ケ−ブルによりホストモ−ドの光通信アダプタ（ＲＳ−２３２Ｃケ−ブルでホストコンピュ−タに接続されている光通信アダプタ）に接続され、スレ−ブモ−ドで動作していた。
【０００４】
スレ−ブモ−ドで動作する光アダプタ（ＲＳ−２３２Ｃケ−ブルでホストコンピュ−タに接続されていない光通信アダプタ）に載置された携帯情報端末は、蓄積したデ−タを光通信手段で対応した光通信アダプタに送信する。デ−タを送信された光通信アダプタは、内蔵されているＣＰＵにより、ＲＳ−４８５の回線を他の光通信アダプタ（ＲＳ−２３２Ｃケ−ブルによってホストコンピュ−タに接続されていない光通信アダプタ）が使用していないことを確認すると「デ−タ有り」信号をＲＳ−４８５ケ−ブルを介して他の光通信アダプタに送信し、ホストモ−ドで動作している光通信アダプタ（ＲＳ−２３２Ｃケ−ブルでホストコンピュ−タに接続されている光通信アダプタ）に送信する。
【０００５】
ホストモ−ドで動作している光通信アダプタ（ＲＳ−２３２Ｃケ−ブルを使用してホストコンピュ−タに接続されている光通信アダプタ）は、「デ−タ有り」信号をＲＳ−２３２Ｃの形式に変換して、ホストコンピュ−タに送信する。ホストコンピュ−タは、「デ−タ有り」信号を受けると、「デ−タ送信可」信号を折り返しＲＳ−２３２Ｃケ−ブルを介してホストモ−ドで作動している光通信アダプタに送信する。更にＲＳ−４８５ケ−ブルにデ−タを送信可能な形式に変換して「デ−タ送信可」信号を上記した「デ−タ有り」信号を送信した光通信アダプタ（ＲＳ−２３２Ｃケ−ブルを使用してホストコンピュ−タに接続されている光通信アダプタ）の他に複数用意されている光通信アダプタ（ＲＳ−２３２Ｃケ−ブルでホストコンピュ−タに接続されていない光通信アダプタ）に送信する。
【０００６】
「デ−タ送信可」信号を受けた光通信アダプタ（ＲＳ−２３２Ｃケ−ブルでホストコンピュ−タに接続されていない光通信アダプタ）は、この光通信アダプタに載置されている携帯情報端末に蓄積されたデ−タを、折り返し光通信アダプタに光通信し、この光通信アダプタからＲＳ−２３２Ｃケ−ブルによりホストコンピュ−タに接続されている携帯情報端末へ光通信を行うことにより送信し、ホストコンピュ−タに送信する。
【０００７】
【発明が解決しようとする課題】
しかし上記した従来の方法では、ホストコンピュ−タと他の光通信アダプタ（ＲＳ−２３２Ｃケ−ブルでホストコンピュ−タに接続されていない光通信アダプタ）間でデ−タの送受信を行う場合に、携帯情報端末から光通信でデ−タが送信される光通信アダプタに内蔵されているＣＰＵが、ＲＳ−４８５の出力制御（ＲＳ−４８５回線を他の光通信アダプタが使用しているかの有無の確認、ホストコンピュ−タと他の光通信アダプタへのデ−タ有り信号の送受信やデ−タの送信可信号の送信、受信等）を行わないと、それぞれの光通信アダプタから一度に信号が出力された場合、出力した信号同士が衝突してしまうという不具合があった。
【０００８】
またデ−タの送信、受信を行う際に、携帯情報端末が搭載される光通信アダプタ（ＲＳ−２３２Ｃケ−ブルによってホストコンピュ−タに接続されている光通信アダプタ）と他の光通信アダプタ（ＲＳ−２３２Ｃケ−ブルによってホストコンピュ−タに接続されていない光通信アダプタ）を接続しているＲＳ−４８５ケ−ブルと、携帯端末装置が搭載される光通信アダプタと、ホストコンピュ−タに接続されているＲＳ−２３２Ｃの光通信回線の切り換えをデ−タの送信又は受信を行う為に制御しなくてはならないために、全ての光通信アダプタにＣＰＵ、ＲＯＭ、ＲＡＭ等の部品が必要であった。その為、周辺機器であるはずの光通信アダプタの単価が高くなってしまうという問題があった。
【０００９】
【課題を解決するための手段】
本発明は如上の課題に鑑みなされたもので、ホストコンピュ−タと、該ホストコンピュ−タからスイッチを設けた通信線によって接続される第１の光通信アダプタと、該第１の光通信アダプタよりＲＳ−４８５ケ−ブルにより接続される第２、第３の光通信アダプタからなり、前記第１、第２、第３の光通信アダプタには、前記光通信アダプタに載置する携帯情報端末に蓄積されたデ−タ又は前記ホストコンピュ−タからの指令を送受信する光通信部分を有し、前記ホストコンピュ−タと第１の光通信アダプタ間を接続している通信線のスイッチを操作することにより、前記ホストコンピュ−タと第１の光通信アダプタが接続されている場合にはホストモ−ドの光通信アダプタとして機能する。
【００１０】
ホストコンピュ−タと接続されていない第２、第３の光通信アダプタはスレ−ブモ−ドの光通信アダプタとして機能し、前記第２、第３の光通信アダプタに載置された携帯情報端末から前記ホストコンピュ−タへ携帯情報端末に蓄積したデ−タを送信する場合又は、ホストコンピュ−タからスレ−ブモ−ドで作動している第２、第３の光通信アダプタへ各種指令を送信する時には、前記ホストモ−ドで作動している第１の光通信アダプタに載置されている携帯情報端末に内蔵されているＣＰＵによって各種デ−タの変換やデ−タの送信制御を行う携帯情報端末を提案するものである。
【００１１】
【発明の実施の形態】
ホストコンピュ−タに接続されている光アダプタと他の光通信アダプタを接続しているＲＳ−４８５にデ−タを流す際のデ−タの変換や制御を、上記ホストコンピュ−タに接続されている光アダプタ上に載置される情報携帯端末に内蔵されているＣＰＵが行い、各光通信アダプタのホストモ−ド、スレ−ブモ−ドの切り換えを特殊なＲＳ−２３２Ｃケ−ブルで光アダプタとホストコンピュ−タの間を接続することにより行い、ホストコンピュ−タと接続される光通信アダプタ以外の光通信アダプタからデ−タの通信に必要な構成部品の一部（ＣＰＵ、ＲＯＭ、ＲＡＭ）を省略するものである。
【００１２】
【実施例】
以下、本発明の詳細を添付図面を参照して説明する。携帯情報端末１は光通信アダプタ２の上に載せられ、携帯情報端末１と光通信アダプタ２の双方に設けられている光通信部分（図示せず）を使用して、携帯情報端末１に蓄積されたデ−タを後述するホストコンピュ−タに送信、またはホストコンピュ−タからの指令を受信する為に光通信を行う。前述した携帯情報端末１と光通信アダプタ２に設けられている光通信部分（図示せず）には光通信素子が設けられており、デ−タ送受信用素子の他に後述するＲＳ−４８５制御信号送出用素子も設けられている。
【００１３】
参照符号３、４は他の光通信アダプタである。前述したように他の光通信アダプタ３、４はＲＳ−４８５ケ−ブルによって光通信アダプタ２と接続され、その内の１台の光通信アダプタ２が特殊なＲＳ−２３２Ｃケ−ブル６によってホストコンピュ−タ７に接続されている。ホストコンピュ−タ７と特殊なＲＳ−２３２Ｃケ−ブルで接続していない他の光通信アダプタ３、４に載置された携帯情報端末８（本実施例では光アダプタ４のみに携帯情報端末を載置したものを図示）に蓄積されたデ−タは、光通信アダプタ４との間で、光通信部分を介して光通信を行い、光通信アダプタ４に送信され、送信形式をＲＳ−４８５ケ−ブルに適合するように変換し、ＲＳ−４８５ケ−ブルを介して光通信アダプタ２に送信される。
【００１４】
この後、光通信アダプタ２は送信されたデ−タをＲＳ−２３２Ｃケ−ブルに適合するように変換し、上記した特殊なＲＳ−２３２Ｃケ−ブルを介してホストコンピュ−タ７に送信する。光通信アダプタ２と携帯情報端末１を含めて、他の光通信アダプタ３、４から送信されてきたデ−タをホストコンピュ−タ７に送信する仲介的な役割を持っている。以降、この光通信アダプタ２をホストモ−ドで作動する光通信アダプタ２、ホストモ−ドで作動している光通信アダプタ２以外の光通信アダプタ３、４をスレ−ブモ−ド光通信アダプタとする。
【００１５】
光通信アダプタ２、３、４のホストモ−ドとスレ−ブモ−ドの切り換えは、光通信アダプタ２、３、４とホストコンピュ−タ７を接続する特殊なＲＳ−２３２Ｃケ−ブルのコネクタに設けられている２つのピンがショ−トされている特殊なＲＳ−２３２Ｃケ−ブルを接続することで行う。この特殊なＲＳ−２３２Ｃケ−ブルが光通信アダプタ２とホストコンピュ−タ７を接続すると、光通信アダプタ２はホストモ−ドの光通信アダプタとして機能し、ホストコンピュ−タ７より特殊なＲＳ−２３２Ｃケ−ブル６を通して受信した携帯情報端末１にそれぞれ割り当てられているＩＤ番号の信号を、ホストコンピュ−タ７に接続されている光通信アダプタ２以外の光通信アダプタ３、４に接続されているＲＳ−４８５Ａに出力する動作をするようになっている。
【００１６】
特殊なＲＳ−２３２Ｃケ−ブルを接続されていない光通信アダプタ３、４はスレ−ブモ−ドで機能する光通信アダプタとなる。ホストモ−ドで機能している光通信アダプタ２を通してＲＳ−４８５Ａに出力されたホストコンピュ−タ７からの信号を光通信アダプタ３、４に載置される携帯情報端末（本実施例では光通信アダプタ４に載置されている携帯情報端末８のみを図示）に送信する動作を行う。上記した携帯情報端末８からホストコンピュ−タ７に送られる信号は、ＲＳ−４８５Ｂケ−ブルにより送られるが一つのＲＳ−４８５回線に対しては、一つの信号しか出力が出来ない為にホストコンピュ−タ７と通信中である光通信アダプタ以外の光通信アダプタは、信号を出力しない必要がある。
【００１７】
そのため、携帯情報端末８よりＲＳ−４８５Ｂに出力を許可する光信号が光通信アダプタ４に入力されると、ＲＳ−４８５Ｂが出力モ−ドになる。ＲＳ−４８５Ｂの出力許可の光信号（ＲＳ−４８５Ｂの制御信号）は、ホストコンピュ−タ７より送信される携帯情報端末固有のＩＤ番号を受信しない限りデ−タの送信はしない為、複数台の光通信アダプタに載置された携帯情報端末からのデ−タをＲＳ−４８５Ｂに同時に出力することは無い。
【００１８】
次にホストモ−ドで作動している光通信アダプタ２の動作について説明する。ホストコンピュ−タ７と接続するＲＳ−２３２Ｃケ−ブルに上記したようにコネクタに設けられているピンの中で、４番と５番のピンをだけをショ−トさせた特殊ケ−ブルを上記した光通信アダプタに接続すると、図２に図示するようにコネクタの４番と５番のピンはショ−トされ、それまでＬＯＷ論理であった５番のピンはＨＩＧＨ論理になる。
【００１９】
ＲＳ−４８５トランシ−バＩＣ（Ａ）は、／ＲＥ（レシ−ブイネ−ブル）端子にＬＯＷ論理が入力されると、ＲＳ−４８５トランシ−バＩＣ（Ａ）に接続されているＲＳ−４８５回線のレシ−ブ動作（ＲＳ−４８５回線からデ−タが入力されるモ−ド）をし、ＤＥ（ドライブイネ−ブル）端子１１にＨＩＧＨ論理が入力されると、ＲＳ−４８５回線がドライブ動作（ＲＳ−４８５回線に適合するように信号変換する動作）をする為に、トランシ−バＩＣ（Ａ）９はドライバモ−ドになる。そのため、ホストコンピュ−タ７から出力された指令が特殊なＲＳ−２３２Ｃケ−ブルを介して、ＲＳ−４８５トランシ−バＩＣ（Ａ）９に入力され、ＲＳ−４８５Ａケ−ブルを介してホストコンピュ−タに接続されていない光アダプタ３、４に入力するように動作する。
【００２０】
携帯情報端末はすべて個別のＩＤ番号を持っており、ホストコンピュ−タ７は常時、順番に各携帯情報端末にＩＤ番号のデ−タを送信している。この時ホストモ−ドで機能している光通信アダプタ２に未送信のデ−タを蓄積した携帯情報端末１が載置され、ホストコンピュ−タ７より自ＩＤ番号が送信されたのを確認すると、携帯情報端末１はＲＳ−４８５制御用信号を携帯情報端末１と光通信アダプタ２の双方に設けた光通信部分（図示せず）を介して送信する。これと継続して携帯情報端末１からは、蓄積したデ−タがあることを示す「デ−タ有り信号」を上記した光通信部分を介して送信する。この送信された信号は、ＲＳ−２３２Ｃトランシ−バＩＣ１２を介して特殊なＲＳ−２３２Ｃケ−ブル６を介してホストコンピュ−タ７に送信される。
【００２１】
「デ−タ有り信号」を受けたホストコンピュ−タ７は、「デ−タ送信可」信号を特殊なＲＳ−２３２Ｃケ−ブル６、ＲＳ−２３２Ｃトランシ−バＩＣ１２、光通信素子（図示せず）を介して、携帯情報端末１に送信される。「デ−タ送信可」を受け取った携帯情報端末１は、携帯情報端末１に蓄積したデ−タを上記した経路を反対にたどってホストコンピュ−タ７に送信する。
【００２２】
次にスレ−ブモ−ドで作動している光通信アダプタの動作について説明する。ホストコンピュ−タ７に特殊なＲＳ−２３２Ｃケ−ブル６を接続していない光通信アダプタ３、４には、ＲＳ−４８５トランシ−バＩＣ（Ａ）９に設けられている／ＲＥ（レシ−ブイネ−ブル）端子１０、ＤＥ（ドライブイネ−ブル）端子１１にはＬＯＷ論理が入力され、ＲＳ−４８５トランシ−バＩＣ（Ａ）９は、レシ−ブモ−ド（入力モ−ド）になるためスレ−ブモ−ドで動作している光通信アダプタに載置された携帯情報端末（本実施例では携帯情報端末８）からＲＳ−４８５回線を介してホストコンピュ−タ７へ各種信号を入力する。
【００２３】
ホストコンピュ−タ７が送信した信号は、ホストモ−ドで作動している携帯情報端末１と光通信アダプタ２によってＲＳ−４８５レベルに変換され、ＲＳ−４８５Ａのケ−ブル５を介して各スレ−ブモ−ドで作動している光通信アダプタ３、４に送信される。光通信アダプタ３、４に入力された信号はＲＳ−４８５トランシ−バＩＣ（Ａ）により受信され、上記した光通信素子（図示せず）を介して携帯情報端末（本実施例の場合には、情報携帯端末８）に送信される。
【００２４】
ホストコンピュ−タ７に直接接続されていない光通信アダプタ３、４に、未送信のデ−タを持った携帯情報端末（本実施例では光通信アダプタ４に携帯情報端末８を載置したものを図示）が載置され、ホストコンピュ−タ７より携帯情報端末８に該当するＩＤ番号が送信されたことを携帯情報端末８自身が確認すると、携帯情報端末８はＲＳ−４８５回線制御用光信号を光通信により光通信アダプタ４に送信する。これに続いて「蓄積したデ−タ有り」の信号を、上記した携帯情報端末１と光通信アダプタ２に設けられている光通信部分に設けられているデ−タ送信部分（図示せず）より光通信アダプタ４に送信する。光通信アダプタ４は先ほど送信されたＲＳ−４８５制御用光信号をＲＳ−４８５Ｂケ−ブルを介して受信すると、ＲＳ−４８５トランシ−バＩＣ（Ｂ）はドライバモ−ドとして機能する。
【００２５】
ＲＳ−４８５Ｂケ−ブルに蓄積したデ−タを送信することが可能な携帯情報端末は、上記したようにホストコンピュ−タ７から該当するＩＤ番号が送信され、該当するＩＤ番号を持つ携帯情報端末（本実施例の場合は、携帯情報端末８）は１台だけであるので、この時ホストモ−ドで作動している光通信アダプタ２に接続されたＲＳ−４８５Ｂは必ず受信モ−ドになる。よって、携帯情報端末８よりの「蓄積したデ−タ有り」の信号は、ホストコンピュ−タ７に送信される。
【００２６】
「蓄積したデ−タ有り」信号を受けたホストコンピュ−タ７は、「蓄積したデ−タ送信可」の信号を特殊なＲＳ−２３２Ｃケ−ブル、ＲＳ−４８５トランシ−バＩＣ（Ａ）を介して、ＲＳ−４８５Ａケ−ブルに信号が適合するように変換され、ＲＳ−４８５Ａケ−ブルを介してスレ−ブモ−ドで作動している光通信アダプタ（本実施例の場合は光通信アダプタ４）に送信され、携帯情報端末８と光通信アダプタ４に設けられている光通信部分に設けられている光通信素子（図示せず）を通してスレ−ブモ−ドで作動している光通信アダプタ４に載置されている携帯情報端末８に送信する。
【００２７】
この後上記したように、ホストコンピュ−タ７から携帯情報端末８のＩＤ番号が事前に送信されているので、携帯情報端末８に蓄積されているデ−タが光通信を行うことにより光アダプタ４に光送信され、ＲＳ−４８５Ｂケ−ブルを介してホストモ−ドで作動している光通信アダプタ２に送信され、光通信アダプタ２に設けられているＲＳ−４８５トランシ−バＩＣ（Ｂ）１３に送信され、ＲＳ−２３２Ｃトランシ−バＩＣ１２を通り、特殊なＲＳ−２３２Ｃケ−ブル６を介してホストコンピュ−タ７に送信される。
【００２８】
【発明の効果】
本発明は以上説明したように、携帯情報端末に蓄積したデ−タをホストコンピュ−タに送信する為の光通信アダプタをホストモ−ドとスレ−ブモ−ドの切り換えを外部スイッチ（実施例ではＲＳ−２３２Ｃケ−ブルのコネクタに設けられているピンに加工を施した）によってホストモ−ドとスレ−ブモ−ドの切り換えを行う構造としたため、それぞれ設けられている光通信アダプタにＣＰＵやＲＯＭ、ＲＡＭを設ける必要が無いので、周辺機器である光通信アダプタをを安価に製造することができる。
【図面の簡単な説明】
【図１】  ホストコンピュ−タと各光通信アダプタの接続図
【図２】  光通信アダプタのブロック図
【符号の説明】
１    携帯情報端末
２    光通信アダプタ
３    他の光通信アダプタ
４    他の光通信アダプタ
５    ＲＳ−４８５ケ−ブル
６    特殊なＲＳ−２３２Ｃケ−ブル
７    ホストコンピュ−タ
８    他の光通信アダプタに載置された携帯情報端末
９    ＲＳ−４８５トランシ−バＩＣ（Ａ）
１０  ／ＲＥ（レシ−ブイネ−ブル端子）
１１  ドライブイネ−ブル端子
１２  ＲＳ−２３２Ｃトランシ−バＩＣ
１３  ＲＳ−４８５トランシ−バＩＣ（Ｂ）
【図１】
0003807064.tif 000002
【図２】
0003807064.tif 000003